(57)【要約】【課題】電源コンセントの位置やテーブルと使用者の位置関係などによっては、製品の設置方向が固定され、製品からの排気が使用者に当たってしまい不快な思いをしたり、操作部が主に操作する人とは異なる方向に向いていて使用しにくい場合があること。【解決手段】電源供給をする複数の電源差込口を備え、いずれか１つの電源差込口に電源供給して使用することにより、電源コードの接続位置を変えることができ、製品本体の向きを変えることができ、操作部や排気の向きを適切な方向に変えることができることとなる。【選択図】図１
2007311281.tif 000002
【特許請求の範囲】
【請求項１】
電源供給をする複数の電源差込口を備え、いずれか１つの電源差込口に電源供給して使用するようにした加熱調理器。
【請求項２】
２つの切替接点を有するリレーを備え、主回路を前記リレーのコモン端子に接続し、第１の電源差込口からの電源供給を前記リレーのノーマルクローズ端子に接続し、第２の電源差込口を前記リレーのノーマルオープン端子に接続し、第２の電源差込口に電源供給すると供給電源により前記リレーがターンオンしてノーマルオープン端子に接続した第２の電源差込口が主回路に接続するようにした請求項１に記載の加熱調理器。
【請求項３】
前記第２の電源差込口に供給する電源の零電位を検知するゼロ点検知回路を備え、第２の電源差込口に電源が供給された時にゼロ点検知回路の信号に応じて前記リレーの作動タイミングを決定するようにした請求項２に記載の加熱調理器。
【請求項４】
前記第１の電源差込口の端子間電圧を測定する第１の電圧測定手段を備え、前記第１の電源差込口の端子間電圧が所定の電圧以上の間は前記第２の電源差込口に電源を接続しても前記リレーをターンオンしないようにした請求項２または３に記載の加熱調理器。
【請求項５】
前記第２の電源差込口の端子間電圧を測定する第２の電圧測定手段を備え、前記第２の電源差込口の端子間電圧が所定の値以下になるまで前記リレーをターンオフしないようにした請求項２または３に記載の加熱調理器。
【請求項６】
前記リレーのターンオフタイミングを所定時間だけ遅らせる時定数回路を備え、第２の電源差込口への電源供給が停止したときに前記時定数回路により所定の時間経過したあとに前記リレーをターンオフするようにした請求項５に記載の加熱調理器。
【請求項７】
三口以上の電源差込口を備え、第１の電源差込口以外の電源差込口には各々に前記リレーを設け、各々の前記リレーのノーマルオープン端子に各々の電源差込口を接続し電源供給すると各々の前記リレーがターンオンして主回路に接続するようにした請求項１〜６のいずれか１項に記載の加熱調理器。
【発明の詳細な説明】
【技術分野】
【０００１】
本発明は、加熱調理器に関するものである。
【背景技術】
【０００２】
従来、この種の加熱調理器は、例えば、鍋などの被加熱物を載置するトッププレートの下部に電磁誘導加熱ヒーターなどの加熱手段を備え、表示・操作部を操作して鍋の加熱を行うものであり、鍋の種類や操作する人の位置、電源コードの位置に応じてある程度自由に操作部の移動ができるものがあった（例えば、特許文献１参照）。
【０００３】
図４は、特許文献１に記載された従来の加熱調理器を示すものである。図４に示すように、被加熱物としての調理物を入れる鍋３１を耐熱ガラスなどで構成したトッププレート３２に載置し、使用者は電源コード３６を電源差込口３４に接続し、操作部３３を操作して調理開始指示を行うとトッププレート３２上の鍋３１を電磁誘導加熱する。このとき、操作部３３は可動となっており、鍋３１の形状や使用者の位置などにより使用者が適切に位置を移動できる。
【特許文献１】特開２００４−３６２７９７号公報
【発明の開示】
【発明が解決しようとする課題】
【０００４】
しかしながら、前記従来の構成では、構造的に複雑になりやすく、故障率の上昇が想定されるという課題を有していた。
【０００５】
また、製品には排気口４０から熱気がでるものが多いが電源コード３６の長さや引き出し方向の制限により製品本体を移動できないため、電源コード３６の位置と壁面のコンセント位置の関係により排気口４０からの排気方向を変えることができず、図４のような人の配置の場合においては第１の使用者３７が操作をしやすいように操作部３３を移動することはできるが、排気口４０からの熱気を受けながら使用せざるを得ない第２の使用者３８のような人も発生することがあるという課題も有していた。
【０００６】
本発明は、前記従来の課題を解決するもので、構造上簡単な構成により操作位置を変えることができ、壁面のコンセントの位置に関わらず製品本体の向きを変えることができ、排気の方向を人のいない方向に向けることができる加熱調理器を実現することを目的とする。
【課題を解決するための手段】
【０００７】
前記従来の課題を解決するために、本発明の加熱調理器は、電源供給をする複数の電源差込口を備え、いずれか１つの電源差込口に電源供給して使用するようにしたものである。これによって、電源コードの位置を変えることができ、製品本体の位置を変えることができ、操作部や排気の向きを適切な方向に変えることができる。
【０００８】
また、本発明の加熱調理器は、２つの切替接点を有するリレーを備え、主回路を前記リレーのコモン端子に接続し、第１の電源差込口からの電源供給を前記リレーのノーマルクローズ端子に接続し、第２の電源差込口を前記リレーのノーマルオープン端子に接続し、第２の電源差込口に電源供給すると供給電源により前記リレーがターンオンしてノーマルオープン端子に接続した第２の電源差込口が主回路に接続するようにしたものである。これによって、複数の電源差込口から電源コードを接続する電源差込口を選択することができ、電源供給した電源差込口からの電源供給を自動的に主回路に接続でき、電源供給していない電源差込口の露出端子部による感電を防ぐことができる。
【発明の効果】
【０００９】
本発明の加熱調理器は、壁面コンセント位置と製品設置位置に関わらず製品の設置方向を変更し、操作部を主な使用者が使いやすい方向にでき、人に当たると不快な排気を人に当たらない方向にし、快適に使用できる加熱調理器を実現することができる。
【発明を実施するための最良の形態】
【００１０】
第１の発明は、電源供給をする複数の電源差込口を備え、いずれか１つの電源差込口に電源供給して使用することにより、電源コードの位置を変えることができ、製品本体の位置を変えることができ、操作部や排気の向きを適切な方向に変えることができ、使いやすく快適な加熱調理器を実現することができる。
【００１１】
第２の発明は、特に第１の発明において、２つの切替接点を有するリレーを備え、主回路を前記リレーのコモン端子に接続し、第１の電源差込口からの電源供給を前記リレーのノーマルクローズ端子に接続し、第２の電源差込口を前記リレーのノーマルオープン端子に接続し、第２の電源差込口に電源供給すると供給電源により前記リレーがターンオンしてノーマルオープン端子に接続した第２の電源差込口が主回路に接続するようにしたことにより、複数の電源差込口の中から電源コードを接続する電源差込口を選択することができ、電源供給した電源差込口からの電源供給を自動的に主回路に接続でき、電源供給していない電源差込口の露出端子部による感電を防ぐ加熱調理器を実現することができる。
【００１２】
第３の発明は、特に第１の発明において、前記第２の電源差込口に供給する電源の零電位を検知するゼロ点検知回路を備え、第２の電源差込口に電源が供給された時にゼロ点検知回路の信号に応じて前記リレーの作動タイミングを決定することにより、前記リレーの接点の耐久性を著しく低下させずに電源供給の切替ができる加熱調理器を実現することができる。
【００１３】
第４の発明は、特に第２または第３の発明において、前記第１の電源差込口の端子間電圧を測定する第１の電圧測定手段を備え、前記第１の電源差込口の端子間電圧が所定の電圧以上の間は前記第２の電源差込口に電源を接続しても前記リレーをターンオンしないようにすることにより、加熱動作中の電源供給の切替を防ぎ、万一複数の電源差込口に同時に電源供給されたとしても不要に電源供給の切替をしない加熱調理器を実現することができる。
【００１４】
第５の発明は、特に第２または第３の発明において、前記第２の電源差込口の端子間電圧を測定する第２の電圧測定手段を備え、前記第２の電源差込口の端子間電圧が所定の値以下になるまで前記リレーをターンオフしないことにより、主回路の残留電荷が残っているときに前記リレーをターンオフして前記第１の電源差込口に触れている人が感電することのない加熱調理器を実現することができる。
【００１５】
第６の発明は、特に第５の発明において、前記リレーのターンオフタイミングを所定時間だけ遅らせる時定数回路を備え、第２の電源差込口への電源供給が停止したときに前記時定数回路により所定の時間経過したあとに前記リレーをターンオフすることにより、不要な前記リレーのチャタリングを防ぐことができ、主回路の残留電荷により前記第１の電源差込口に触れている人が感電しない加熱調理器を実現することができる。
【００１６】
第７の発明は、特に第１〜第６のいずれか１つの発明において、三口以上の電源差込口を備え、第１の電源差込口以外の電源差込口には各々に前記リレーを設け、各々の前記リレーのノーマルオープン端子に各々の電源差込口を接続し電源供給すると各々の前記リレーがターンオンして主回路に接続することにより、より自由度の高い製品方向を選択することができる加熱調理器を実現することができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における加熱調理器を示すものである。
【００１９】
図１において、調理物を入れる鍋１をトッププレート２に載置し、電源コード６を製品の異なる位置に設置した第１の電源差込口４と第２の電源差込口５のうち第２の電源差込口に差し込み、電源を供給し、操作部３の操作により鍋１を加熱する。操作部３の対面側には排気口１０があり製品から排出する熱気が出ている。ここで、電源コード６には長さの制限があり、壁の電源コンセントと製品の設置場所との位置関係によっては製品の設置方向が限定される。また、電源差込口はマグネット吸着型のプラグものもが多く、電源コード６の引き出し方向と大きく異なる方向からの張力が発生すると電源コード６のプラグが抜けてしまう場合があるため電源差込口の引き出し方向に電源コンセントがあるようにする必要がある場合が多い。
【００２０】
図２は、本発明の第１の実施の形態における加熱調理器の回路ブロック図を示すものである。図２において、電源コード１１を第１の電源差込口１２または第２の電源差込口１５に接続でき、第１のリレー１３は第１の電源１６からの駆動電源供給により主回路１４との接続を第１の電源差込口１２と第２の電源差込口１５とから選択できるようにしている。第２の電圧測定手段１７は電源差込口１５の端子間電圧を測定し時定数回路１８を経由してゼロ点検知回路１９に信号伝達し、ゼロ点検知回路１９は第２の電源差込口１５の電圧ゼロ点を検知してそのタイミングに応じて第１の電源１６から第１のリレー１３への駆動電源供給を制御している。また、第１の電圧測定手段２０は第１の電源差込口１２の端子間電圧を測定し、電圧に応じて第１の電源１６から第１のリレー１３への駆動電源供給を制御する。
【００２１】
以上のように構成された加熱調理器について、以下その動作、作用を説明する。
【００２２】
電源コード１１を第１の電源差込口１２に接続すると、第１のリレー１３が初期状態ではＮＣ端子およびＣＯＭ端子を経由して主回路１４に電源供給される。主回路１４は本発明の加熱調理器において操作部３などへの電源供給や鍋１の加熱を制御するものであり、主回路１４へ電源供給することで加熱調理器として機能するものである。
【００２３】
また、一方では電源コード１１を第１の電源差込口１２に接続せずに第２の電源差込口１５に接続すると、先ず第１の電源１６に電源供給され、第１のリレー１３を駆動し、接点がＮＣ端子からＮＯ端子にメイクすることで主回路１４に電源供給される。この動作により電源コード１１を第１の電源差込口１２と第２の電源差込口１５の何れに接続しても主回路１４に電源供給でき、電源コード１１を接続していない一方の電源差込口には電圧の印加が無く感電しないようにできる。
【００２４】
ところで、電源コード１１を第２の電源差込口１５に接続したときに、第１のリレーをＮＯ端子側に切り替えるタイミングによっては接点を著しく消耗するため、耐久性に問題が生じる場合がある。そのため、ゼロ点検知回路１９にて第２の電源差込口１５の端子間電圧のゼロ点タイミングを検知して、第１のリレー１３の接点がＮＯ端子側にメイクするタイミングが供給電源のゼロ電圧付近となるようにタイミングを計って第１の電源１６から第１のリレー１３への駆動電源供給を行うようにしている。この場合、より精度を上げるために第１のリレー１３の接点信号をフィードバックしてもよい。また、別途記憶手段を設けて電源供給が無くなった時にも前回の駆動電源供給タイミングを記憶してもよい。
【００２５】
さらに、第２の電源差込口１５から電源コード１１を外したり、供給電源がゼロに落ちきらない状態となったときに第１のリレー１３をオフして接点がＮＣ端子側にメイクすると、主回路１４内の残留電荷による電圧が第１の電源差込口１２に発生するため、万一使用者の１人が第１の電源差込口１２の接点に触れた状態であったときには感電する恐れがある。この問題を解決するために、第２の電圧測定手段１７にて第２の電源差込口１５の端子間電圧が感電しない程度の電圧、例えば１０Ｖ以下まで低下したのを確認した後にゼロ点検知回路１９を介して第１の電源１６からの第１のリレー１３への駆動電源オフを行うようにする。このとき、第２の電圧測定手段１７による第２の電源差込口１５の端子間電圧低下の情報をゼロ点検知回路１９に伝達する時間に遅延を設けるために時定数回路１８を経由させることで第２の電源差込口１５の端子間電圧が低下してから一定時間、例えば１秒経過後に第１のリレー１３の駆動電源をオフできるので、主回路１４の残留電荷がより安全なレベルにまで低下してから第１の電源差込口１２に接続を行うことができ、より感電の危険性の低い電源切り替えを行うことができる。なお、第２の電圧測定手段１７や時定数回路１８にて充分に第２の電源差込口１５の端子間電圧が低下してから第１のリレー１３をオフする場合、第１のリレー１３の接点に大きな電圧がかからないため接点の消耗は少なく、ゼロ点検知回路１９を設けなくても耐久性に問題がないため、第２の電圧測定手段１７や時定数回路１８を設けたときにはゼロ点検知回路１９を経由せずに第１の電源１６の電源供給をオフさせるようにしてもよい。
【００２６】
次に電源コード１１が誤使用により第１の電源差込口１２と第２の電源差込口１５の両方に同時に接続される場合があることを想定すると、同時に接続しているときには第２の電源差込口１５からの電源供給が優先されるため特に問題にならないが、第１の電源差込口１２からの電源供給にて主回路１４が動作しているときに第２の電源差込口１５への電源供給が行われると主回路１４が動作中にも関わらず電源供給元が切り替わってしまい、位相の急激な変化が発生して機器にダメージを与えたり、第１のリレー１３の接点の消耗を促進したりする。この問題を解決するために第２の電源差込口１２の端子間電圧を測定する第１の電圧測定手段２０を設け、測定電圧が高い間は第１の電源１６から第１のリレー１３への駆動電源供給を行わないようにして、測定電圧が一旦ゼロ電圧付近まで低下し主回路１４が一度停止してから第１の電源１６から第１のリレー１３への駆動電源供給を行うようにする。これにより不用意な電源供給元の切り替えを行わず、動作中の電源供給元の切り替えによる機器へのダメージを防ぐことができる。
【００２７】
なお、本実施の形態において、第１の電圧測定手段２０と第２の電圧測定手段１７は各々第１の電源差込口１２と第２の電源差込口１５の端子間電圧を測定しているが、共に主回路１４への電源両端電圧を測定することとしても同様の効果が得られる。
【００２８】
上記実施の形態に依れば図１のような壁と電源コンセントと人の配置の例では例えば電源コード６を第１の電源差込口４に接続すると、電源コード６の長さや第１の電源差込口４の引き出し方向による制限により製品の設置方向が決定し、電源差込口操作部３が第３の使用者９の方向を向くようになり、排気口は操作部３の反対側にあるため第２の使用者８に排気が当たってしまい不快となるが、図１のように電源コード６を第２の電源差込口５に接続すると、排気口１０を壁側に向けることができ、不快な熱気を人のいない方向に向けることができ、全ての使用者に不快な思いをさせないようにできる。また、主たる操作者が第１の使用者７である場合にも操作がしやすい向きに製品を設置することが選択可能になる。
【００２９】
（実施の形態２）
図３は、本発明の第２の実施の形態における加熱調理器の回路ブロック図を示すものである。図３において、電源コード２１を第１の電源差込口２２または第２の電源差込口２５または第３の電源差込口２７に接続でき、第１のリレー２３は第１の電源２６からの駆動電源供給により第２のリレー２９との接続を第１の電源差込口２２と第２の電源差込口２５とから選択できるようにしている。また第２のリレー２９は第２の電源２８からの駆動電源供給により主回路２４との接続を第１のリレー２３と第３の電源差込口２７とから選択できるようにしている。
【００３０】
以上のように構成された加熱調理器について、以下その動作、作用を説明する。
【００３１】
電源コード２１を第１の電源差込口２２に接続すると、第１のリレー２３および第２のリレー２９が初期状態では第１のリレー２３と第２のリレー２９のＮＣ端子およびＣＯＭ端子を経由して主回路２４に電源供給される。主回路２４は本発明の第１の実施の形態における主回路１４と同様に主回路２４へ電源供給することで加熱調理器として機能するものである。
【００３２】
また、一方では電源コード２１を第１の電源差込口２２に接続せずに第２の電源差込口２５に接続すると、本発明の第１の実施の形態と同様に第１のリレー２３のＣＯＭ端子側は第２の電源差込口２５と接続される。しかしながら、本実施の形態では第１の実施の形態に加えて第３の電源差込口２７と第２の電源２８と第２のリレー２９を設けており、第２のリレー２９は第２の電源２８からの駆動電源供給により主回路２４との接続を第１の電源差込口２２と第２の電源差込口２５との何れか第１のリレー２３にて選択された一方の電源差込口と第３の電源差込口２７とから選択できるようにしている。この構成によれば３口の電源差込口を１つの製品に設けることができるが、電源差込口を１つ増設する毎にリレーとリレー駆動用電源を１つずつ設け、同様の接続とするとさらに電源差込口を増やすことができる。
【００３３】
また、第１の実施の形態に倣い、電圧測定手段、時定数回路、ゼロ点検知回路を各々設けていけば第１の実施の形態と同様の安全性や耐久性を得ることができる。
【００３４】
以上のように、本実施の形態においては、電源供給をする複数の電源差込口を備え、いずれか１つの電源差込口に電源供給して使用することにより、電源コードの位置を変えることができ、製品本体の向きを変えることができ、操作部や排気の向きを適切な方向に変えることができ、使いやすく快適な加熱調理器を実現することができる。
【００３５】
また、２つの切替接点を有する第１のリレー１３を備え、主回路１４を第１のリレー１３のコモン端子に接続し、第１の電源差込口１２からの電源供給を第１のリレー１３のノーマルクローズ端子に接続し、第２の電源差込口１５を第１のリレー１３のノーマルオープン端子に接続し、第２の電源差込口１５に電源供給すると供給電源により第１のリレー１３がターンオンしてノーマルオープン端子に接続した第２の電源差込口１５が主回路１４に接続するようにしたことにより、複数の電源差込口の中から電源コード６を接続する電源差込口を選択することができ、電源供給した電源差込口からの電源供給を自動的に主回路１４に接続でき、電源供給していない電源差込口の露出端子部による感電を防ぐ加熱調理器を実現することができる。
【００３６】
また、第２の電源差込口１５に供給する電源の零電位を検知するゼロ点検知回路１９を備え、第２の電源差込口１５に電源が供給された時にゼロ点検知回路１９の信号に応じて第１のリレー１３の作動タイミングを決定することにより、第１のリレー１３の接点の耐久性を著しく低下させずに電源供給の切替ができる加熱調理器を実現することができる。
【００３７】
また、第１の電源差込口１２の端子間電圧を測定する第１の電圧測定手段２０を備え、第１の電源差込口１２の端子間電圧が所定の電圧以上の間は第２の電源差込口１５に電源コード１１を接続しても第１のリレー１３をターンオンしないようにすることにより、加熱動作中の電源供給の切替を防ぎ、万一複数の電源差込口に同時に電源供給されたとしても不要に電源供給の切替をしない加熱調理器を実現することができる。
【００３８】
また、第２の電源差込口１５の端子間電圧を測定する第２の電圧測定手段１７を備え、第２の電源差込口１５の端子間電圧が所定の値以下になるまで第１のリレー１３をターンオフしないことにより、主回路１４の残留電荷が残っているときに第１のリレー１３をターンオフして第１の電源差込口１２に触れている人が感電することのない加熱調理器を実現することができる。
【００３９】
また、第１のリレー１３のターンオフタイミングを所定時間だけ遅らせる時定数回路１８を備え、第２の電源差込口１５への電源供給が停止したときに時定数回路１８により所定の時間経過したあとに第１のリレー１３をターンオフすることにより、不要な第１のリレー１３のチャタリングを防ぐことができ、主回路１４の残留電荷により第１の電源差込口１２に触れている人が感電しない加熱調理器を実現することができる。
【００４０】
また、三口以上の電源差込口を備え、第１の電源差込口以外の電源差込口には各々にリレーを設け、各々のリレーのノーマルオープン端子に各々の電源差込口を接続し電源供給すると各々のリレーがターンオンして主回路２４に接続することにより、より自由度の高い製品方向を選択することができる加熱調理器を実現することができる。
【００４１】
なお、本実施の形態において、加熱手段３は電磁誘導加熱のようなトッププレート２越しに加熱できる構成としていたが、電熱ヒーターやガス火などトッププレート２の使用しないで直接鍋１を加熱するような熱源を用いても同様の効果が得られる。
【００４２】
また、本実施の形態におけるリレーは機械接点式以外にも半導体式のものでもよい。
【００４３】
また、本実施の形態における電源差込口は、電源コードを接続して電源供給するためのものであればソケットやコネクタ、ネジ端子板などでも同様の効果が得られる。
【産業上の利用可能性】
【００４４】
本発明の加熱調理器は、卓上型のもの以外に、組み込み式や据え置き型などの電源取り出し口を選択する用途としても適用できる。
【図面の簡単な説明】
【００４５】
【図１】本発明の第１の実施の形態における加熱調理器を示す図
【図２】本発明の第１の実施の形態における加熱調理器の回路ブロック図
【図３】本発明の第２の実施の形態における加熱調理器の回路ブロック図
【図４】従来の加熱調理器を示す図
【符号の説明】
【００４６】
１  鍋
２  トッププレート
３  操作部
４  第１の電源差込口
５  第２の電源差込口
６  電源コード
【図１】
2007311281.tif 000003
【図２】
2007311281.tif 000004
【図３】
2007311281.tif 000005
【図４】
2007311281.tif 000006